(57)【要約】【課題】従来、乾燥室の生海苔は、熱風の量又は流れの制御、及び釜と、内外空気の制御とを介して乾燥室中を２時間程度かけて数往復する間に乾燥されることから、乾燥室内を流れる空気の温度や湿度が、生海苔の乾燥に大きな影響を与える。温湿度にムラによる海苔の一部が乾かない弊害、又は急激な乾燥による弊害、また過乾燥による弊害の発生と、この弊害による海苔の品質低下・価値の低下、等の問題発生がある。【構成】本発明は、第１・第２の外気吸込み口と、空気室と、タ゛クトと、加熱室と、乾燥室とを利用して生海苔を乾燥する海苔乾燥方法で、第２の外気吸込み口からの外気及び／又は海苔乾燥建屋の内気を、空気室に供給し、この空気を、加熱室内のタ゛クトに供給し、タ゛クトの多数個の吹出し口より加熱室に個別に供給し熱風を生成し、この温風で生海苔の乾燥を図り、乾燥室からの暖気を、加熱室に一部供給して再利用し、内気排出口を介して外部に排気する加熱室内蔵のタ゛クトを利用した海苔乾燥方法である。【選択図】　　図１
2004097127.tif 000002
【特許請求の範囲】
【請求項１】
少なくとも第１及び第２の外気吸込み口と、少なくとも外気を吸込む空気室と、この空気室に連通する少なくとも一本のタ゛クトと、このタ゛クトが設けられる加熱室と、乾燥室とを利用して生海苔を乾燥する海苔乾燥方法において、
前記第２の外気吸込み口からの外気及び／又は海苔乾燥建屋の内気を、空気室に供給し、
この空気室の空気を、前記加熱室内のタ゛クトに供給し、このタ゛クトの多数個の吹出し口を介して、当該加熱室に個別に（スホ゜ット方式で）供給し、
この加熱室で生成した熱風を、前記乾燥室に供給し、
生海苔の乾燥を図り、
前記乾燥室からの暖気を、加熱室に一部供給して再利用し、また内気排出口を介して外部に排気する構成とした加熱室内蔵のタ゛クトを利用した海苔乾燥方法。
【請求項２】
請求項１に記載した空気室に補助ヒータを設け、前記加熱室の空気を暖める構成とした加熱室内蔵のタ゛クトを利用した海苔乾燥方法。
【請求項３】
請求項１に記載した空気室にファンを設け、この空気室に外気を適量吸込む構成とした加熱室内蔵のタ゛クトを利用した海苔乾燥方法。
【請求項４】
請求項１に記載した加熱室内のタ゛クトにフィンを設け、熱交換を促進する構成とした加熱室内蔵のタ゛クトを利用した海苔乾燥方法。
【請求項５】
第１の外気吸込み口及び／又は第２の外気吸込み口と内気排出口を備えた建屋に、補助ヒータ及びタ゛クト、加熱室、又は乾燥室を配した海苔乾燥装置において、
この補助ヒータに設けたタ゛クトを、前記加熱室内に配備し、このタ゛クトに設けた多数個の吹出し口から当該加熱室内に、前記建屋内に装備した温度及び／又は湿度センサーを介して最適な箇所に最適な量の温風を供給する構成とした加熱室内蔵のタ゛クトを備えた海苔乾燥装置。
【発明の詳細な説明】
【０００１】
【発明の属する技術分野】
この発明は、加熱室内蔵のタ゛クトを利用した海苔乾燥方法と、その海苔乾燥装置に関する。
【０００２】
【従来の技術】
現在の海苔の乾燥は、乾燥建屋に設置された全長１０ｍ程度の全自動海苔乾燥機（主として、海苔簀、搬送手段等を備えた乾燥室と、又は吸込みファン、釜等を備えた加熱室とで構成する）で行なわれている。その一例を、図８を使って、簡単に説明すると、この乾燥機の加熱室内には、吸込み用のファンを介して建屋外の空気（外気）と建屋中の空気（内気）が吸込まれる。この空気は、当該加熱室に設けた釜、ヒータ等（釜とする）で熱せられて高温空気（熱風）となり、乾燥室に供給されて、この乾燥室の生海苔（抄き海苔）を乾燥する。この乾燥室から排出される湿り空気（空気流通帯域の湿った暖気：以下、使用済み暖気）を、建屋に設けた内気排出口より、建屋外に排気する構造である。また乾燥室には、適度な温度と湿度が必要なので、前記暖気の一部は、外気と一緒に再度、吸込み用のファンを介して吸込まれて、前述と同じ途を辿る。即ち、乾燥室の生海苔は、熱風の量又は流れの制御、及び釜、並びに内外空気の制御等の中で、当該乾燥室中を２時間程度かけて数往復する間に乾燥されることから、乾燥室内を流れる空気の温度や湿度が、生海苔の乾燥に大きな影響を与える。
【０００３】
従って、温湿度のムラによる海苔の一部が乾かない弊害（例えば、ヌレの発生、全体にツヤがなく曇ったように見えるクモリ）、又は急激な乾燥による弊害（例えば、不均一な縮みが基で発生する皺によるチチ゛ミ海苔等）、また過乾燥による弊害（例えば、破れ、孔あき等）の発生と、この弊害による海苔の品質低下・価値の低下、等の問題の発生とがある。この問題となる温湿度のムラが発生する他の原因は、建屋の隙間風や、屋根や壁の形状の違いで空気の流れが異なること等と考えられている。
【０００４】
この問題解決の一環として、幾つかの手段が採用されており、その一例を説明する。（１）は、乾燥室に、温湿度センサーを、複数箇所に設け（例えば、乾燥室の前後に略２分割するようにして、それぞれ設置し）、その測定値に基づいて、建屋の換気等を行ない、乾燥室内の湿度を均一に保持する手段があり、例えば、特開平１０−２５７８７０号がある。しかし、この手段の問題点は、測定個所が２個所であり乾燥室内の湿度を、均一に保つのが難しく、また換気の際に、冷たい外気の流入により温湿度の均一性の乱れと、この乱れの変化が大きくなることから加熱室の温湿度管理が図れないこと、等の問題を残している。（２）は、建屋を間仕切りで区画し、個別に温湿度コントロール方式であり、例えば、乾燥機周辺に仕切り板を設け、個別に温湿度管理を行なうこと、また比較的均一化された使用済み暖気を、加熱室に導入して、その適量を再利用すること等を意図するものであり、例えば、実開平４−５５２９０号がある。しかし、この手段の問題点は、加熱室の温湿度管理は、外気に依存する割合が多く、必ずしも十分な成果上がっていないのが現況である。（３）は、補助ヒータに、一次空気（外気）と、使用済み暖気の一部とを導入し、熱交換して温風に変換した後、この温風を、建屋の床面に配したタ゛クトを介して加熱室の全体に供給し、加熱室内で熱風に変換する。この熱風を、乾燥室に供給する手段である。この手段の問題点は、（３−１）タ゛クトに設けた多数個の吹出し口と、加熱室の吸込み口とが離れており、補助ヒータからの温風が拡散され易いこと、またこの温風の拡散及び／又はタ゛クトの配置、大きさ等により、加熱室の吸込み口に確実、又は適量供給できる保証はない。（３−２）補助ヒータに外気を全量（換気量と同量）吸込む（導入する）ので、建屋内の空気、暖気等の流れ等（気流）の変化（乱れ）を招来し、ハ゛ランスを崩して、各種の弊害の発生と、又は大きな能力と熱源を要し、装置の大型化、設置スヘ゜ース等の拡大等による弊害の発生と、設置の困難性の問題が発生すること、等の課題がある。
【０００５】
【発明が解決しようとする課題】
前述の如く、従来技術の（１）、（２）では、加熱室の温湿度管理効果及び／又は乾燥室の湿度管理効果が図れない課題がある。また（３）では、補助ヒータを利用する新しい加熱室の温湿度管理等である。しかし、現場においては、一部に改良点が残っている。
【０００６】
上記に鑑み本発明は、補助ヒータの機能を十分発揮できる構造の提供と、タ゛クトを加熱室に内蔵する構造を利用して、タ゛クト設置の簡便化、設置スヘ゜ースの小型化、又はタ゛クト設置を海苔乾燥機の製造過程で付設して、現場作業の簡便化等を図ること、また建屋の空気、使用済み暖気等の流れの確保と、スムース゛な流れを確保すること、等を意図する。
【０００７】
【課題を解決するための手段】
請求項１の発明は、タ゛クトを加熱室に内蔵する構造を利用して、タ゛クト設置の簡便化、設置スヘ゜ースの小型化、又はタ゛クト設置を乾燥機の製造過程で付設して、現場作業の簡便化等を図ること、また建屋の空気、使用済み暖気等の流れの確保と、スムース゛な流れを確保すること、等を意図する。
【０００８】
請求項１は、少なくとも第１及び第２の外気吸込み口と、少なくとも外気を吸込む空気室と、この空気室に連通する少なくとも一本のタ゛クトと、このタ゛クトが設けられる加熱室と、乾燥室とを利用して生海苔を乾燥する海苔乾燥方法において、
前記第２の外気吸込み口からの外気及び／又は海苔乾燥建屋の内気を、空気室に供給し、
この空気室の空気を、前記加熱室内のタ゛クトに供給し、このタ゛クトの多数個の吹出し口を介して、当該加熱室に個別に（スホ゜ット方式で）供給し、
この加熱室で生成した熱風を、前記乾燥室に供給し、
生海苔の乾燥を図り、
前記乾燥室からの使用済み暖気を、加熱室に一部供給して再利用し、また内気排出口を介して外部に排気する構成とした加熱室内蔵のタ゛クトを利用した海苔乾燥方法である。
【０００９】
請求項２の発明は、補助ヒータで外気を温風に変換し、この温風を加熱室に供給して、加熱室においての熱風生成を容易にすること、又は補助ヒータで生成した最適な温風（所定の温湿度の温風）を、加熱室に供給し、また最適な温湿度の温風を、必要とする箇所及び／又は量をスホ゜ット方式で供給すること、等を意図する。
【００１０】
請求項２は、請求項１に記載した空気室に補助ヒータを設け、前記加熱室の空気を暖める構成とした加熱室内蔵のタ゛クトを利用した海苔乾燥方法である。
【００１１】
請求項３の発明は、建屋の加熱室に近い空気室に外気を吸込み、この外気を、加熱室に供給して、加熱室においての熱風生成を容易にすること、又は空気室に導入した最適な温風（所定の温湿度の温風）を、加熱室に供給し、また最適な温湿度の温風を、必要とする箇所及び／又は量をスホ゜ット方式で供給すること、等を意図する。
【００１２】
請求項３は、請求項１に記載した空気室にファンを設け、この空気室に外気を適量吸込む構成とした加熱室内蔵のタ゛クトを利用した海苔乾燥方法である。
【００１３】
請求項４の発明は、加熱室での熱交換の拡充と、熱交換の迅速化、効率化等を意図する。
【００１４】
請求項４は、請求項１に記載した加熱室内のタ゛クトにフィンを設け、熱交換を促進する構成とした加熱室内蔵のタ゛クトを利用した海苔乾燥方法である。
【００１５】
請求項５の発明は、タ゛クトを加熱室に内蔵する構造を利用して、タ゛クト設置の簡便化、設置スヘ゜ースの小型化、加熱室への温風、外気のスホ゜ット的な吹出し（導入）を図ること、又はタ゛クト設置を乾燥機の製造過程で付設して、現場作業の簡便化等を図ること、また建屋の空気、使用済み暖気等の流れの確保と、スムース゛な流れを確保すること、等を意図する。
【００１６】
請求項５は、第１の外気吸込み口及び／又は第２の外気吸込み口と内気排出口を備えた建屋に、補助ヒータ及びタ゛クト、加熱室、又は乾燥室を配した海苔乾燥装置において、この補助ヒータに設けたタ゛クトを、前記加熱室内に配備し、このタ゛クトに設けた多数個の吹出し口から当該加熱室内に、前記建屋内に装備した温度及び／又は湿度センサーを介して最適な箇所に最適な量の温風を供給する構成とした加熱室内蔵のタ゛クトを備えた海苔乾燥装置である。
【００１７】
【発明の実施の形態】
以下、本発明の実施の形態を説明する。尚、この発明の実施の形態は、実施例を兼ねる。
【００１８】
図１〜図４に示す例は、建屋１にそれぞれ設けた空気室付き補助ヒータ２と、タ゛クト３と、加熱室４、又は乾燥室５との組合せ構成例であり、この例では、：空気室付き補助ヒータ２に対する外気Ａの流れ▲１▼と、：この空気室付き補助ヒータ２に対する内気Ｂの流れ▲２▼と、：又はタ゛クト３から加熱室４に対する温風Ｃ（温度及び／又は湿度調整された温風等）の流れ▲３▼と、：加熱室４に対する温風Ｃの吹出しによる流れ▲４▼と、：この加熱室３に対する内気Ｂの流れ▲５▼と、：乾燥室５に対する熱風Ｄの流れ▲６▼との模式的なルートがあり、外気Ａ、内気Ｂ及び温風Ｃ、熱風Ｄを効率的に運用して、生海苔の乾燥を図る。例えば、流れ▲１▼と▲２▼は、第１の外気吸込み口６を介して外気Ａが建屋１内に到り、その後、外気Ａは第２の外気吸込み口７を介して補助ヒータ２の空気室８（部屋）に達する。そして、この補助ヒータ２の空気室８には、第１の内気吸込み口９を介して内気Ｂの一部が吸込まれて、前記外気Ａとミキシンク゛される。このミキシンク゛された空気Ｅは、釜２００との熱交換を介して熱風Ｄに変換される。尚、この釜２００は、建屋１内の適所（最適及び／又は指定等の箇所）に設けた（固定及び／又は移動可能に設けた）温度及び／又は湿度を計測するセンサー１０を介してＯＮ、ＯＦＦされること、又は同様にセンサー１０を介して第１外気吸込み口６、第２の外気吸込み口７、又は第１の内気吸込み口９の（タ゛ンハ゜ー）開閉及び／又は（タ゛ンハ゜ー）開閉角度等を介して外気Ａ及び／又は内気Ｂの吸込み量調整、又はＯＮ、ＯＦＦを図る。
【００１９】
そして、流れ▲３▼と▲４▼又は▲５▼は、補助ヒータ２で生成された温風Ｃは、タ゛クト３を介して加熱室４の釜４００の直上に吹出された構成であり、タ゛クト３に設けた開閉弁（図示せず：シャッター）の開放を介して所定の吹出口３００から、また所定量の温風Ｃを吹出す。これにより、必要とする箇所に、また必要とする量の温風Ｃを供給できる（流れ▲４▼である）。尚、この開閉弁の開閉及び／又は吹出し量は、前記センサー１０を利用する。
また流れ▲５▼の如く、この加熱室４には内気Ｂが吸込まれて前記温風Ｃとミキシンク゛される例もあり、湿った暖気Ｆ（内気）の利用で、熱風Ｄの生成の容易化、熱風Ｄの温湿度調整の簡便化等を図る。この内気Ｂの吸込み量等の調整は、センサー１０を利用する。図中１１は加熱室４に設けたファンである。次に流れ▲６▼は、乾燥室５に対する熱風Ｄの流れであり、加熱室４で生成された温湿度調整された熱風Ｄを、通路１２を介して乾燥室５に供給し、当該乾燥室５の生海苔の乾燥に利用する。尚、乾燥室５の制御は、従来の方法に準ずる。図中１３は建屋１に設けた内気排出口で、この内気排出口１３には屋上扇１４が設けられており、この内気排出口１３と屋上扇１４を介して乾燥室５の開口より排出された湿り暖気Ｆ（使用済み暖気）を屋外に排気する。尚、タ゛クト３を加熱室４に設ける位置は、ファン１１の近傍が理想であるが、何れの箇所でも可能であり、またその本数も限定されない。また３０１はタ゛クト３に設けたフィンである。図中１５は海苔抄き機を示す。
【００２０】
尚、図３、図４は、建屋１に第１の外気吸込み口６と第２の外気吸込み口７を設けた一例であり、この第２の外気吸込み口７を介して外気Ａを直接空気室８０（区画された補助ヒータ２用の部屋）に吸込む構成であり流れ▲１▼’を示す。尚、第１の外気吸込み口６の外気Ａは建屋１内に吸込まれる。そして、この構成では、例えば、第２の外気吸込み口７から吸込んだ外気Ａは、直接空気室８０に吸込むとともに、第１の外気吸込み口６から吸込んだ外気Ａを、建屋１内を経由して、空気室８０に設けた開口８１を介して当該空気室８０に吸込まれる。また場合により、開口８１から内気Ｂを吸込み、この二方向からの外気Ａと内気Ｂをミキシンク゛しながら熱交換し、温風Ｃを生成する。
尚、外気Ａ及び／又は内気Ｂを有効利用することで、温風Ｃの温湿度調整と、補助ヒータ２による温風Ｃ生成の容易化等が図れる。
【００２１】
図５〜図７に示す例は、建屋１にそれぞれ設けた空気室８００（建屋１を区画した部屋）と、タ゛クト３と、加熱室４、又は乾燥室５との組合せ構成例であり、この例では、：空気室８００に対する外気Ａの流れ▲１▼と、：この空気室８００に対する内気Ｂの流れ▲２▼と、：又は第２の外気吸込み口７を介して直接空気室８００に吸込む外気Ａの流れ▲１▼’と、：またタ゛クト３から加熱室４に対する温風Ｃの流れ▲３▼と、：加熱室４に対する温風Ｃの吹出しによる流れ▲４▼と、：この加熱室３に対する内気Ｂの流れ▲５▼と、：乾燥室５に対する熱風Ｄの流れ▲６▼との模式的なルートがあり、外気Ａ、内気Ｂ及び温風Ｃ、熱風Ｄを効率的に運用して、生海苔の乾燥を図る。例えば、流れ▲１▼と▲２▼及び▲１▼’は、第２の外気吸込み口７を介して外気Ａが直接空気室８００に達する。したがって、この空気室８００では、第２の外気吸込み口７を介して直接吸込んだ外気Ａと、開口８０１を介して吸込んだ内気Ｂと、及び第１の外気吸込み口６を介して吸込んだ一部の外気Ａとがミキシンク゛される。尚、建屋１内の適所に設けたセンサー１０を介して第１外気吸込み口６、第２の外気吸込み口７、又は必要により設けられる開口８０１の開閉及び／又は開閉角度等を介して外気Ａ及び／又は内気Ｂの吸込み量調整、又はＯＮ、ＯＦＦを図る。
【００２２】
そして、流れ▲３▼と▲４▼又は▲５▼は、ミキシンク゛された常温空気Ｅ’は、ファン８０２の吸込み等によりタ゛クト３を介して加熱室４の釜４００の直上に吹出された構成であり、タ゛クト３に設けた開閉弁（図示せず）を介して所定の吹出口３００から、また所定量の温風Ｃ’（タ゛クト３の迂回とフィン３０１とによる熱交換で生成された温風Ｃ’）を吹出す。これにより、必要とする箇所に、また必要とする量の温風Ｃ’を供給できる。尚、この開閉弁の開閉及び／又は吹出し量は、前記センサー１０を利用する。また流れ▲５▼の如く、この加熱室４には内気Ｂが吸込まれて前記温風Ｃとミキシンク゛される例もあり、湿った暖気Ｆ（内気）の利用で、熱風Ｄの生成の容易化、熱風Ｄの温湿度調整の簡便化等を図る。この内気Ｂの吸込み量等の調整は、センサー１０を利用する。次に流れ▲６▼は、乾燥室５に対する熱風Ｄの流れであり、加熱室４で生成された温湿度調整された熱風Ｄを、通路１２を介して乾燥室５に供給し、当該乾燥室５の生海苔の乾燥に利用する。他の構成等は、前述の例に準ずる。
【００２３】
尚、図７の例では、中間空気室８０’を設け、この中間空気室８０’に加熱室４の釜４００に連通した煙突４０１を設け、この中間空気室８０’を通過する常温空気Ｅ’を暖める構成であり、略温風Ｃ’が生成される。この略温風Ｃ’の利用による流れ▲４▼と、他の構成は、前述の例に準ずる。図中４０２はフィンを示す。
【００２４】
【発明の効果】
請求項１の発明は、少なくとも第１及び第２の外気吸込み口と、少なくとも外気を吸込む空気室と、空気室に連通する少なくとも一本のタ゛クトと、このタ゛クトが設けられる加熱室と、乾燥室とを利用して生海苔を乾燥する海苔乾燥方法において、第２の外気吸込み口からの外気及び／又は海苔乾燥建屋の内気を、空気室に供給し、空気室の空気を、加熱室内のタ゛クトに供給し、タ゛クトの多数個の吹出し口を介して加熱室に個別に供給し、加熱室で生成した熱風を、乾燥室に供給し、生海苔の乾燥を図り、乾燥室からの暖気を、加熱室に一部供給して再利用し、また内気排出口を介して外部に排気する構成とした加熱室内蔵のタ゛クトを利用した海苔乾燥方法である。本発明は、タ゛クトを加熱室に内蔵する構造を利用して、タ゛クト設置の簡便化、設置スヘ゜ースの小型化、又はタ゛クト設置を乾燥機の製造過程で付設して、現場作業の簡便化等が達成できる特徴がある。また建屋の空気、使用済み暖気等の流れの確保と、スムース゛な流れを確保できること、等の実益がある。
【００２５】
請求項２の発明は、請求項１に記載した空気室に補助ヒータを設け、加熱室の空気を暖める構成とした加熱室内蔵のタ゛クトを利用した海苔乾燥方法である。本発明は、補助ヒータで外気を温風に変換し、温風を加熱室に供給して、加熱室においての熱風生成が容易であること、又は補助ヒータで生成した最適な温風を、加熱室に供給できること、また最適な温湿度の温風を、必要とする箇所及び／又は量をスホ゜ット方式で供給できること、等の特徴がある。
【００２６】
請求項３の発明は、請求項１に記載した空気室にファンを設け、空気室に外気を適量吸込む構成とした加熱室内蔵のタ゛クトを利用した海苔乾燥方法である。本発明は、建屋の加熱室に近い空気室に外気を吸込み、外気を、加熱室に供給して、加熱室においての熱風生成が容易できること、又は空気室に導入した最適な温風を、加熱室に供給できること、また最適な温湿度の温風を、必要とする箇所及び／又は量をスホ゜ット方式で供給できること、等の特徴がある。
【００２７】
請求項４の発明は、請求項１に記載した加熱室内のタ゛クトにフィンを設け、熱交換を促進する構成とした加熱室内蔵のタ゛クトを利用した海苔乾燥方法である。本発明は、加熱室での熱交換の拡充と、熱交換の迅速化、効率化等の特徴がある。
【００２８】
請求項５の発明は、第１の外気吸込み口及び／又は第２の外気吸込み口と内気排出口を備えた建屋に、補助ヒータ及びタ゛クト、加熱室、又は乾燥室を配した海苔乾燥装置において、この補助ヒータに設けたタ゛クトを、加熱室内に配備し、タ゛クトに設けた多数個の吹出し口から加熱室内に、建屋内に装備した温度及び／又は湿度センサーを介して最適な箇所に最適な量の温風を供給する構成とした加熱室内蔵のタ゛クトを備えた海苔乾燥装置である。本発明は、タ゛クトを加熱室に内蔵する構造を利用して、　タ゛クト設置の簡便化、設置スヘ゜ースの小型化、加熱室への温風、外気のスホ゜ット的な吹出し（導入）が図れること、又はタ゛クト設置を乾燥機の製造過程で付設して、現場作業の簡便化等が図れること、また建屋の空気、使用済み暖気等の流れの確保と、スムース゛な流れが確保できること、等の特徴である。
【図面の簡単な説明】
【図１】本発明の補助ヒータを使用した第１の例を示す正面模式図
【図２】図１の例の側面模式図
【図３】本発明の補助ヒータを使用した第２の例を示す正面模式図
【図４】図３の例の側面模式図
【図５】本発明の空気室を使用した第１の例を示す正面模式図
【図６】図５の例の側面模式図
【図７】本発明の空気室を使用した第２の例を示す正面模式図
【図８】図（イ）、（ロ）は、それぞれ従来の乾燥機の一例を示す正面模式図
【符号の説明】
１　　　　　建屋
２　　　　　補助ヒータ
２００　　　　釜
３　　　　　タ゛クト
３００　　　　吹出口
３０１　　　　フィン
４　　　　　加熱室
４００　　　　釜
４０１　　　　煙突
４０２　　　　フィン
５　　　　　乾燥室
６　　　　　第１の外気吸込み口
７　　　　　第２の外気吸込み口
８　　　　　空気室
８０　　　　空気室
８０’　　　　中間空気室
８１　　　　開口
８００　　　　空気室
８０１　　　　開口
８０２　　　　ファン
９　　　　　第１の内気吸込み口
１０　　　　センサー
１１　　　　ファン
１２　　　　通路
１３　　　　内気排出口
１４　　　　屋上扇
１５　　　　海苔抄き機
Ａ　　　　　外気
Ｂ　　　　　内気
Ｃ　　　　　温風
Ｃ’　　　　略温風
Ｄ　　　　　熱風
Ｅ　　　　　空気
Ｅ’　　　　常温空気
Ｆ　　　　　湿った暖気
【図１】
2004097127.tif 000003
【図２】
2004097127.tif 000004
【図３】
2004097127.tif 000005
【図４】
2004097127.tif 000006
【図５】
2004097127.tif 000007
【図６】
2004097127.tif 000008
【図７】
2004097127.tif 000009
【図８】
2004097127.tif 000010